(57)【要約】      （修正有）【課題】ティッシュの入替が簡単で多方向からティッシュを引き出せるティッシュケースを提供すること。【解決手段】上面にティッシュ取出口を有する上カバー７と、下面にティッシュ取出口を有する下カバー８からなるティッシュケース７００に箱入り又は袋入りティッシュを収納することで、上面からも下面からもティッシュを取り出すことができる。また、上面のティッシュ取出口７１から引きだすティッシュを使い切った場合、ティッシュケースの上下をひっくり返せば、下面のティッシュ取出口からティッシュを引き出すことができるので、ティッシュの補充作業の回数を減らすことができる。【選択図】図９
2018177367.tif 000002
【特許請求の範囲】
【請求項１】
上面にテッィシュ取出口を有し且つ内部に箱状物を収納可能な下面開放の箱形状の上カバーと、
前記上カバーの下に設けられ、下面にテッィシュ取出口を有する上面開放の箱形状の下カバーと、を備えたことを特徴とするティッシュケース。
【請求項２】
内部に箱状物を収納可能であり且つ表面に複数のティッシュ取出口を備えたことを特徴とするティッシュケース。
【発明の詳細な説明】
【技術分野】
【０００１】
本発明は、ティッシュの入替が簡単で多方向からティッシュを引き出せるティッシュケースに関する。
【背景技術】
【０００２】
忙しくて、すぐにティッシュの補充作業ができない場合がある。ティッシュの補充作業は、時間があるときに、まとめて行うようにすると効率的である。そこで、ティッシュの入替が簡単で多方向からティッシュを引き出せるティッシュケースを提供する。
【発明の概要】
【発明が解決しようとする課題】
【０００３】
本発明の目的は、ティッシュ取出口が複数、様々な方向に設けられており、様々な方向からティッシュを同時に取出すことができるティッシュケースを提供することである。複数人で、ティッシュケースを共同で使用するような場合に、大変便利なティッシュケースである。
【課題を解決するための手段】
【０００４】
この発明のティシュカバーは、上面にテッィシュ取出口を有し且つ内部に箱状物を収納可能な下面開放の箱形状の上カバーと、前記上カバーの下に設けられ、下面にテッィシュ取出口を有する上面開放の箱形状の下カバーと、を備えたことを特徴とする。
【０００５】
この発明によれば、上面にティッシュ取出口を有する上カバーと、下面にティッシュ取出口を有する下カバーからなるティッシュケースに箱入り又は袋入りティッシュを収納することで、上面からも下面からもティッシュを取り出すことができる。また、上面のティッシュ取出口から引きだすティッシュを使い切った場合、ティッシュケースの上下をひっくり返せば、下面のティッシュ取出口からティッシュを引き出すことができるので、ティッシュの補充作業の回数を減らすことができる。
【０００６】
また、この発明のティッシュケースは、内部に箱状物を収納可能であり且つ表面に複数のティッシュ取出口を備えたことを特徴とする。
【０００７】
この発明によれば、ティッシュ取出口が複数、様々な方向に設けられているので、様々な方向からティッシュを同時に取出すことができる。複数人で、ティッシュケースを共同で使用するような場合に、大変便利である。
【図面の簡単な説明】
【０００８】
【図１】本発明の実施の形態１にかかるティッシュケース７００の使用状態を示す参考斜視図である。
【図２】図１に示すティッシュケース７００の斜視図である。
【図３】図１に示すティッシュケース７００を下方向から見た斜視図である。
【図４】図１に示すティッシュケース７００を下方向から見た参考斜視図である。
【図５】図１に示すティッシュケース７００の構成を説明するための参考図である。
【図６】図１に示すティッシュケース７００の使用方法を説明するための参考説明図である。
【図７】図１に示すティッシュケース７００の使用方法を説明するための参考説明図である。
【図８】図１に示すティッシュケース７００の使用方法を説明するための参考説明図である。
【図９】図１に示すティッシュケース７００の使用方法を説明するための参考説明図である。
【図１０】本発明の実施の形態２にかかるティッシュケース８００の斜視図である。
【図１１】図１０に示すティッシュケース８００の使用状態を示す参考斜視図である。
【図１２】図１０に示すティッシュケース８００の使用状態における上面図である。
【図１３】本発明の実施の形態３にかかるティッシュケース９００の参考斜視図である。
【図１４】図１３に示すティッシュケース９００の使用状態を示す参考斜視図である。
【図１５】本発明の実施の形態４にかかるティッシュケース１０００の参考斜視図である。
【発明を実施するための形態】
【０００９】
（実施の形態１）
次に、図１から図９を示しながら、実施の形態１にかかるティッシュケース７００について説明する。
【００１０】
図１は、本発明の実施の形態１にかかるティッシュケース７００の使用状態を示す参考斜視図である。図２は、図１に示すティッシュケース７００の斜視図である。図３は、図１に示すティッシュケース７００を下方向から見た斜視図である。図４は、図１に示すティッシュケース７００を下方向から見た参考斜視図である。
【００１１】
図１に示すように、本発明のティッシュカバー７００は、下面開放の略長方体の箱形状の上カバー７と、上面開放の略長方体の箱形状の下カバー８とを、主に有し、上カバー７と、下カバー８との開放面を合わせて、内部に箱状物を収納する空間を備えた中空長方体を構成するものである。
【００１２】
図２に示すように、上カバー７の上面には、ティッシュ取り出し口となる開口部７１が設けられている。上カバー７は、下面開放の中空長方体である。上カバー７は、プラスチック樹脂や木製、厚紙製または厚布素材からなる。上カバー７の寸法は、下カバー８の寸法よりも縦横に数ミリメートルずつ、つまり、上カバー７の厚み分くらい縦横に大きくなっており、上カバー７の中空部内径と、下カバー８の外径が略同じとなっている。したがって、下カバー８の上に、上カバー７をかぶせて、蓋をするようにすることができる。
【００１３】
図３に示すように、下カバー８の下面にも、ティッシュ取り出し口となる開口部８が設けられている。開口部７及び開口部８は、実施の形態７では、横長の細長い長方形の開口となっているが、開口の形状は、丸型、星型その他任意の形状としてデザインバリエーションをつけても良い。
【００１４】
図４に示すように、上カバー７と下カバー８には、それぞれ、ティッシュ取り出し口となる開口部７及び開口部８が設けられているので、内部に詰替え用の袋入りまたは箱入りティッシュを２つ、互いに向きを逆にして収納しておくと、上面の開口部７からも、下面の開口部８からも、どちらの面からもティッシュを取り出すことができる。
次に、テッィシュケース７００の使用方法について、説明する。図５は、図１に示すティッシュケース７００の構成を説明するための参考図である。図６から図９は、図１に示すティッシュケース７００の使用方法を説明するための参考説明図である。
【００１５】
まず、最初に、図５に示すように、下カバー８の上に載っている上カバー７を開けて、詰替え用ティッシュを収納する空間を開放し、ティッシュを詰める準備をする。詰替え用ティッシュは、二つ折りティッシュが詰められた簡易包装の袋入りティッシュを用いてもよいし、箱入りティッシュを用いても良いし、また、ロール状のキッチンペーパー等を詰めることにしても良い。詰替え用ティッシュは、袋入り、箱入り、ロール状、いずれを詰める場合も２つ以上、重ねて中に収納するようにする。収納する際、図１６に示すように、ティッシュ取り出し口が、それぞれ外側にくるように、背中合わせの向きでティッシュケース７００の中空部に詰めるようにする。
【００１６】
図７のように、ティッシュを中空部に詰めたあと、上カバー７をかぶせて、まずは、上カバー７の開口部７１が上側に来るような向きでティッシュケース７００を机やテーブル等の台に載置して、ティッシュを使用する。
【００１７】
使用を続けていると、だんだん、ティッシュの残量が少なくなり、上側に入れたティッシュを使い切ることになるが、上側に入れたティッシュを使い切ったら、図８に示すように、ティッシュケース７００を、ひっくり返して、下カバー８の開口部８１が上側になるように、ティッシュケース７００を載置する。通常のティッシュケースは、ティッシュをひとつぶん使い切ると、中身を入れ替える必要があるが、本発明のティッシュケース７００によれば、ティッシュをひとつぶん使い切ると、中身を補充せず、ティッシュケース７００をひっくり返すだけで、また、新しいティッシュを取り出すことができるので、ティッシュの補充作業の回数が減って便利である。
【００１８】
また、図９に示すように、ティッシュケース７００を、短手方向に設けられた面のうち１つの面が底面となるように机や台に載置すると、開口部７及び開口部８どちらからもティッシュを取り出すことができる。複数人が、いろいろな方向からティッシュを使用することが想定されるような共有空間でティッシュを共用で使用する際に、便利である。
（実施の形態２）
次に、図１０から図１２を示しながら実施の形態２のティッシュケース８００を説明する。
【００１９】
図１０は、本発明の実施の形態８にかかるティッシュケース８００の斜視図である。図１１は、図１０に示すティッシュケース８００の使用状態を示す参考斜視図である。図１２は、図１０に示すティッシュケース８００の使用状態における上面図である。
【００２０】
図１０に示すように、ティッシュケース８００は、上面開放の中空箱形状からなるティッシュケースであって、開口部が、側面四方向に設けられ、どの方向からも、ティッシュを取り出すことができるティッシュケースである。ティッシュケース８００は、木製またはプラスチック等の樹脂製、厚紙や厚布その他のある程度硬度をもった素材からなり、厚みは数ミリメートルから数センチメートルであって中空長方体の箱形状である。実施の形態８のティッシュケース８００は、上面開放の長方体の箱であるが、下面開放の長方体の箱としてもよい。
【００２１】
図１１に示すように、ティッシュケース８００には、中空部内に、４つの袋入りまたは箱入りティッシュを収納可能である。収納された袋入りまたは箱入りティッシュは、図１２に示すように、それぞれ、ティッシュ取り出し口が外側になるように、かつ、ティッシュケース８００の開口部９１直下にティッシュ取り出し口がくるように収納して使用する。中に収納するティッシュは、袋入りまたは箱入りの簡易包装二つ折りティッシュのほか、キッチンペーパー等のロール状のペーパーやシートでも良い。
（実施の形態３）
次に、図１３及び図１４を示しながら、実施の形態３にかかるティッシュケース９００を説明する。
【００２２】
図１３は、本発明の実施の形態３にかかるティッシュケース９００の参考斜視図である。図１４は、図１３に示すティッシュケース９００の使用状態を示す参考斜視図である。
【００２３】
図１３に示すように、実施の形態３にかかるティッシュケース９００は、中空の円柱形状のティッシュケース９００である。上面または下面が着脱可能な蓋形状になっている。上面開放または下面開放の中空円柱形状として、開放面からティッシュの補充交換を行うようにしてもよい。
【００２４】
図１４に示すように、ティッシュケース９００の中に、簡易包装の袋入り二つ折りティッシュや箱入りティッシュを、開口部９１の数だけ用意して、それぞれ、開口部９１の直下にティッシュ取り出し口がくるように収納すると、多方向から、ティッシュを取り出すことができる。複数人で共有するスペースに載置すれば、ティッシュを取り出す際、どの方向からも取り出せるので便利である。また、どれか１つの袋入りティッシュを使いきっても、別の開口部９１からティッシュを取り出すことができるので、忙しくて、すぐにティッシュの補充作業ができない場合に便利である。ティッシュの補充作業は、時間があるときに、まとめて行うようにすると効率的である。
（実施の形態４）
次に、図１５を示しながら、実施の形態４にかかるティッシュケース１０００を説明する。図１５は、本発明の実施の形態４にかかるティッシュケース１０００の参考斜視図である。
【００２５】
図１５に示すように、ティッシュケース１０００は、中空の四角柱形状の筒カバー１０の上下に、上蓋カバー１０２と下蓋カバー１０３を設けたものである。筒カバー１０の中には、通常のボックスティッシュを収納し、上下の上蓋カバー１０２及び下蓋カバー１０３には、ポケットティッシュを収納して使用する。ティッシュケース１０００は、それぞれの面に開口部１０１を設けてあり、側面の開口部１０１からは大きな寸法のティッシュを取り出せ、上下の開口部１０１からは、ポケットティッシュの小さいサイズのティッシュを取り出すことができる。大小のティッシュを選択して取り出すことができ、また、どの方向からもティッシュを取り出すことができて便利なティッシュケース１０００である。
【符号の説明】
【００２６】
７００，８００，９００，１０００  ティッシュケース
７  上カバー
７１  開口部
８  下カバー
８１  開口部
９  一体型カバー
９１  開口部
１０  筒カバー
１０１  開口部
１０２  上蓋カバー
１０３  下蓋カバー
Ｔ  ティッシュ
【図１】
2018177367.tif 000003
【図２】
2018177367.tif 000004
【図３】
2018177367.tif 000005
【図４】
2018177367.tif 000006
【図５】
2018177367.tif 000007
【図６】
2018177367.tif 000008
【図７】
2018177367.tif 000009
【図８】
2018177367.tif 000010
【図９】
2018177367.tif 000011
【図１０】
2018177367.tif 000012
【図１１】
2018177367.tif 000013
【図１２】
2018177367.tif 000014
【図１３】
2018177367.tif 000015
【図１４】
2018177367.tif 000016
【図１５】
2018177367.tif 000017